(57)【要約】【課題】  漁獲物の水揚げから競りまでの魚市場における作業全体の効率化を実現する魚市場情報管理システムを提供する。【解決手段】  魚市場情報管理システムは、魚市場内に設置される計量装置１０と、計量装置１０とネットワークを介して接続され、魚市場内の情報を管理する魚市場情報管理サーバ２０と、漁獲物の競りに入札する買受人により操作される買受人端末３０とを有する。計量装置１０は、荷主により水揚げされた漁獲物の重量を計量し、計量した漁獲物の重量を示す情報を魚市場情報管理サーバ２０に送信し、魚市場情報管理サーバ２０は、計量装置１０から受信した重量の情報を用いて、漁獲物の競りのリストを作成し、買受人端末３０に送信する。買受人は、買受人端末３０に表示された競りのリストに入札額を入力する。【選択図】        図１
2005352955.tif 000002
【特許請求の範囲】
【請求項１】
魚市場内に設置される計量装置と、該計量装置とネットワークを介して接続され、魚市場内の情報を管理する魚市場情報管理サーバと、該魚市場情報管理サーバとネットワークを介して接続され、前記漁獲物の競りに関する情報を送受信可能な買受人端末と、を有するシステムであって、
前記計量装置は、
荷主により水揚げされた漁獲物の重量を計量し、漁獲物情報とともに、該計量の情報を前記魚市場情報管理サーバに送信し、
前記魚市場情報管理サーバは、
前記計量装置から受信した前記情報を用いて、競りに関する情報を管理することを特徴とする魚市場情報管理システム。
【請求項２】
前記計量装置は、
漁獲物の種類ごとに、該漁獲物の単位重量に含まれる水分の重量を示す情報を格納し、
前記計量した漁獲物の種類を入力すると、前記水分の重量を示す情報を参照して、前記計量した漁獲物全体に含まれる水分重量を算出し、前記計量した漁獲物の重量から前記算出した水分重量を減じて、競り開始時に公開される漁獲物の重量として算出し、前記魚市場情報管理サーバに送信することを特徴とする請求項１記載の魚市場情報管理システム。
【請求項３】
前記魚市場情報管理サーバは、
前記計量装置からの受信情報を用いて、競りの対象となる漁獲物の一覧を示す競り一覧情報を作成して、前記買受人の要求に応じて該競り一覧情報を前記買受人端末に送信し、
前記買受人端末は、
前記競り一覧情報を受信すると、該競り一覧情報を自端末の画面に表示することを特徴とする請求項１または２記載の魚市場情報管理システム。
【請求項４】
前記買受人端末は、
前記画面に表示した競り一覧情報上の競りの対象の漁獲物に入札額を入力して、該入札額の情報を前記魚市場情報管理サーバに送信し、
前記魚市場情報管理サーバは、
所定期間内に前記買受人端末から受信した入札額のうち、最高値を落札額として決定し、該決定した落札結果の情報を前記買受人の要求に応じて前記買受人端末に送信することを特徴とする請求項３記載の魚市場情報管理システム。
【請求項５】
前記魚市場情報管理システムは、
前記魚市場情報管理サーバと接続され、印刷処理を実行する印刷装置をさらに有し、
前記魚市場情報管理サーバは、
同一荷主または同一買受人による漁獲物の全落札結果が記載された伝票の印刷指示を前記印刷装置に送信し、
前記印刷装置は、
前記魚市場情報管理サーバからの印刷指示により前記全落札結果が記載された伝票の印刷処理を実行することを特徴とする請求項４記載の魚市場情報管理システム。
【請求項６】
前記魚市場情報管理システムは、
前記魚市場情報管理サーバと接続され、魚市場に関する情報を表示する表示装置をさらに有し、
前記魚市場情報管理サーバは、
前記競り一覧情報および前記落札結果のうちの少なくとも一方の表示指示を前記表示装置に送信し、
前記表示装置は、
前記魚市場情報管理サーバから表示の指示を受けた情報の表示を行うことを特徴とする請求項４または５記載の魚市場情報管理システム。
【発明の詳細な説明】
【技術分野】
【０００１】
本発明は、魚市場情報管理システムに関し、特にネットワークを介して取得した漁獲物の情報の管理を行う魚市場情報管理システムに関する。
【背景技術】
【０００２】
従来から、漁業者は、自身が水揚げした漁獲物を魚市場に持ち込んで受付し、その受付した漁獲物を計量して、市場の競りに登録し、その競り終了後、落札額から市場への手数料等を除いた額をその日の売上として受け取っていた。
【０００３】
これらの魚市場における競りまでの工程にコンピュータを導入して作業の効率化を実現した従来技術の１つに特許文献１が開示するところの漁獲物自体の競売システム及び漁獲物自体の競売方法があった。
この従来技術において、漁業者は、自身の漁獲物の情報を自身の漁船に設置されている端末からサーバへ送信し、サーバは自身のデータベースにそれらの漁獲物の情報を蓄積する。その後、サーバは、その漁獲物の競売時に、入札額等を含む買付情報を買付人の端末から受信し、データベースに蓄積された漁獲物の情報の書き替え等の処理を行う。
【特許文献１】特開２００２−１７５４４１
【発明の開示】
【発明が解決しようとする課題】
【０００４】
しかしながら、従来、前述の水揚げから競売終了までに煩雑な作業が繰り返されるため、漁獲物が一般市場に出回るまでに多くの時間を要してしまい、その漁獲物の鮮度が落ちてしまうという問題があった。また、魚市場では、それらの煩雑な作業を行うために、多くの人員を確保しておかなければならなかった。
また、特許文献１の従来技術においても、水揚げ時の漁獲物の計量の効率化については実現しておらず、魚市場における作業全体の効率化という面では疑問が残る。
【０００５】
本発明は、上記問題点に鑑みてなされたものであり、漁獲物の水揚げから競売までの魚市場における作業全体の効率化を実現する魚市場情報管理システムを提供することを目的とする。
【課題を解決するための手段】
【０００６】
かかる目的を達成するため、本発明は、魚市場内に設置される計量装置と、計量装置とネットワークを介して接続され、魚市場内の情報を管理する魚市場情報管理サーバと、魚市場情報管理サーバとネットワークを介して接続され、漁獲物の競りに関する情報を送受信可能な買受人端末と、を有するシステムであって、計量装置は、荷主により水揚げされた漁獲物の重量を計量し、漁獲物情報とともに、計量の情報を魚市場情報管理サーバに送信し、魚市場情報管理サーバは、計量装置から受信した情報を用いて、競りに関する情報を管理することを特徴とする。
【０００７】
また、本発明によれば、計量装置は、漁獲物の種類ごとに、漁獲物の単位重量に含まれる水分の重量を示す情報を格納し、計量した漁獲物の種類を入力すると、水分の重量を示す情報を参照して、計量した漁獲物全体に含まれる水分重量を算出し、計量した漁獲物の重量から算出した水分重量を減じて、競り開始時に公開される漁獲物の重量として算出し、魚市場情報管理サーバに送信することを特徴とする。
【０００８】
また、本発明によれば、魚市場情報管理サーバは、計量装置からの受信情報を用いて、競りの対象となる漁獲物の一覧を示す競り一覧情報を作成して、前記買受人の要求に応じて競り一覧情報を買受人端末に送信し、買受人端末は、競り一覧情報を受信すると、競り一覧情報を自端末の画面に表示することを特徴とする。
【０００９】
また、本発明によれば、買受人端末は、画面に表示した競り一覧情報上の競りの対象の漁獲物に入札額を入力して、入札額の情報を魚市場情報管理サーバに送信し、魚市場情報管理サーバは、所定期間内に買受人端末から受信した入札額のうち、最高値を落札額として決定し、決定した落札結果の情報を前記買受人の要求に応じて買受人端末に送信することを特徴とする。
【００１０】
また、本発明によれば、魚市場情報管理システムは、魚市場情報管理サーバと接続され、印刷処理を実行する印刷装置をさらに有し、魚市場情報管理サーバは、同一荷主または同一買受人による漁獲物の全落札結果が記載された伝票の印刷指示を印刷装置に送信し、印刷装置は、魚市場情報管理サーバからの印刷指示により全落札結果が記載された伝票の印刷処理を実行することを特徴とする。
【００１１】
また、本発明によれば、魚市場情報管理システムは、魚市場情報管理サーバと接続され、魚市場に関する情報を表示する表示装置をさらに有し、魚市場情報管理サーバは、競り一覧情報および落札結果のうちの少なくとも一方の表示指示を表示装置に送信し、表示装置は、魚市場情報管理サーバから表示の指示を受けた情報の表示を行うことを特徴とする。
【００１２】
なお、以上の構成要素の任意の組み合わせや、本発明の構成要素や表現を方法、装置、システム、コンピュータプログラム、コンピュータプログラムを格納した記録媒体などの間で相互に置換したものもまた、本発明の態様として有効である。
【発明の効果】
【００１３】
本発明の魚市場情報管理システムは、魚市場内に設置される計量装置と、計量装置とネットワークを介して接続され、魚市場内の情報を管理する魚市場情報管理サーバと、を有するシステムであって、計量装置は、荷主により水揚げされた漁獲物の重量を計量し、計量した漁獲物の重量を示す情報を魚市場情報管理サーバに送信し、魚市場情報管理サーバは、計量装置から受信した重量の情報を用いて、漁獲物の競り一覧情報を作成するので、漁獲物の水揚げから競りまでの魚市場における作業全体の効率化を実現することが可能となる。
【発明を実施するための最良の形態】
【００１４】
＜構成＞
図１は、本発明の実施の形態における魚市場情報管理システムの構成を示す図である。以下、図を用いて、魚市場情報管理システムの構成について説明を進める。
図に示すように、魚市場情報管理システムは、漁業者の漁獲物を計量する計量装置１０と、その計量装置１０から送信された漁獲物の情報を含めて競り情報等を管理する魚市場情報管理サーバ２０と、その漁獲物の競りへ参加する買受人により操作される買受人端末３０と、前述の魚市場情報管理サーバ２０からの指示により印刷処理を実行する印刷装置４０と、前述の魚市場情報管理サーバ２０からの指示により魚市場の各種情報を表示する表示装置５０とを有して構成される。
なお、魚市場情報管理システムが有する計量装置１０、買受人端末３０、印刷装置４０及び表示装置５０の数は図により限定されず、それぞれ１以上の任意の数であってよい。
【００１５】
その魚市場情報管理サーバ２０は、計量装置１０、買受人端末３０、印刷装置４０、及び表示装置５０とそれぞれ有線または無線のネットワークを介して接続されている。
好適には、魚市場情報管理サーバ２０と、計量装置１０、買受人端末３０、印刷装置４０、及び表示装置５０との間のネットワークを無線ＬＡＮ（Ｌｏｃａｌ  Ａｒｅａ  Ｎｅｔｗｏｒｋ）により構築する。
また、魚市場情報管理サーバ２０は、インターネット１００に接続されており、自身で管理する情報をＷｅｂ上に公開することが可能である。
【００１６】
以下、魚市場情報管理システムを構成する計量装置１０、魚市場情報管理サーバ２０、買受人端末３０、印刷装置４０及び表示装置５０の各構成について詳細に説明する。
【００１７】
計量装置１０は、前述したように、漁業者により水揚げされた漁獲物を計量する装置であって、そのために、漁獲物の重量を計測する電子はかりと、その電子はかりとケーブル等を介して着脱可能に接続された無線ＬＡＮ通信が可能なハンディコンピュータと、を有して構成される。
この計量装置１０は魚市場の職員により操作されるものであり、その漁獲物の計量結果（重量）を含む受付情報をネットワークを介して魚市場情報管理サーバ２０に送信する。この受付情報には、その漁獲物の計量受付時に魚市場の職員等により入力された漁獲物の情報であって、例えば、前述の漁獲物の重量、荷主（漁業者）、漁船、漁業種類（はえ縄、１本釣り等）、および魚種（いわし、たこ、ホタテ等）等のうちの１つ、あるいはそれらの組み合わせが含まれる。
また、この計量装置１０は、印刷機能を備えており、これらの漁獲物の計量結果等を受付伝票として荷主ごとに印刷し、発行する。
【００１８】
また、魚市場情報管理サーバ２０は、魚市場の職員等によって管理されるＰＣやワークステーション等の情報処理装置であり、計量装置１０からネットワークを介して前述の受付情報を受信して管理するとともに、その受信した受付情報を基に、計量した漁獲物の競りを行うためのリストを含む競り情報を作成して、買受人の要求に応じて各買受人端末３０に送信する。
【００１９】
また、この魚市場情報管理サーバ２０には、前述の入札が許可されている買受人のユーザＩＤ及びパスワードが互いに対応付けられて格納されている。魚市場情報管理サーバ２０は、このＩＤ及びパスワードを用いて入札希望者の認証を行う。以降、買受人端末３０は、常時データにユーザＩＤを対応付けて魚市場情報管理サーバ２０に送信する。
このように、買受人が、ユーザＩＤとパスワードとを用いてログインし、その後、買受人端末３０を用いてユーザＩＤに対応付けてデータ送信を行うことにより、魚市場側が買受人端末３０を用意し、来場した買受人に買受人端末３０を貸し出して競りを行うといったような、買受人が常に同一の個体の買受人端末３０を使用するとは限らない場合であっても、魚市場情報管理サーバ２０側は、データ送信元のユーザを正確に特定することができる。
【００２０】
また、他の例として、買受人が、常に同一の個体の買受人端末３０を操作する場合には、魚市場情報管理サーバ２０は、買受人端末３０の個体を識別するための端末ＩＤ、その買受人端末３０を使用するユーザ、及びパスワードの三者が互いに対応付けられたテーブルを格納してもよい。この場合、魚市場情報管理サーバ２０は、買受人端末３０から送信された端末ＩＤ及びパスワードにより買受人のユーザ認証を行い、以降、買受人端末３０は、常にデータに自端末の端末ＩＤを対応付けて魚市場情報管理サーバ２０に送信する。
このように、買受人が自分専用の買受人端末３０で魚市場情報管理サーバ２０とのデータ通信を行う場合には、買受人端末３０が自端末の端末ＩＤをデータに対応付けて魚市場情報管理サーバ２０に対してデータ送信を行うことにより、魚市場情報管理サーバ２０は、データ送信元の買受人を特定でき、さらに、いわゆるユーザの成りすましの防止をより強化することが可能となる。
【００２１】
また、前述の買受人端末３０は、競りに上場された漁獲物への入札を行う買受人により操作されるＰＣ等の情報処理装置である。この買受人端末３０は、好適には、魚市場情報管理サーバ２０との間で無線ＬＡＮ等の無線通信が可能なＰＤＡ等の携帯端末とするのが望ましい。この場合、買受人は、魚市場内のどの場所にいても、買受人端末３０を用いて魚市場情報管理サーバ２０から競り情報を受信して表示し、入札を行うことができる。
【００２２】
また、印刷装置４０は、前述の魚市場の職員等により使用される印刷装置であって、魚市場情報管理サーバ２０からの印刷指示等に基づいて、競り伝票、競りの落札結果、仕切り書、売上票といった競りに係る各種文書を印刷する。
この仕切り書は、落札された漁獲物を上場した荷主に魚市場側から渡される伝票である。この仕切り書には、荷主１人が受け取る漁獲物の落札額、荷主が魚市場へ支払う手数料等が記載されている。荷主は、この発行された仕切り書を魚市場事務所の精算窓口や金融機関等に提出することで、前述の落札額から手数料を除いた純利益を魚市場側から受け取ることができる。
また、前述の売上票は、落札した買受人に魚市場側から渡される伝票である。この売上票には、買受人１人が支払うべき漁獲物の落札額等が記載されている。買受人は、この発行された売上票の記載内容に従って、魚市場側に前述の落札額の支払いを行う。
【００２３】
また、表示装置５０は、前述の魚市場の職員により使用される表示装置であって、魚市場情報管理サーバ２０からの表示指示に基づいて、競り対象の漁獲物の一覧及び競りの落札結果等を表示する。
この表示装置５０は、好適には一定以上の大きさの表示画面を備えていることが望ましい。この場合、荷主を含む魚市場の複数の入場者が、同時にその表示内容を閲覧することができる。
例えばこの表示装置５０は、液晶、プラズマ等の各種ディスプレイであってもよいし、電光掲示板であってもよい。また、この表示装置５０はマグネット掲示板、即ちその表示面とその表示面に平行に積層された背面との間に磁性体を含む層が形成されており、磁界を発生させることにより、魚市場情報管理サーバ２０から受信した画像データに応じてその磁性体により表示面側に文字及び画像等を形成して各種情報を表示する掲示板であってもよい。
【００２４】
＜動作＞
（動作全体の流れ）
図２及び図３は、魚市場情報管理システムによる漁獲物の計量から競りの精算までの処理の流れを示すシーケンスチャートである。以下、図２及び図３に沿って、この魚市場情報管理システムによる処理の流れについて説明する。
【００２５】
まず、漁業者（荷主）は、水揚げした漁獲物を魚市場内に搬入する。魚市場の職員は、計量装置１０を用いて、その水揚げされた漁獲物の荷主、漁船、漁業種類、及び魚種等の受付情報を入力する（ステップＳ１０１）。
【００２６】
続けて、魚市場の職員は、計量装置１０を操作して、その搬入された漁獲物の計量を行う（ステップＳ１０２）。
【００２７】
次に、計量装置１０は、前述の漁獲物の重量及び入力された各種受付情報が記載された受付伝票を印刷し、発行する（ステップＳ１０３）。荷主は、その発行された受付伝票を受け取って、競り終了まで保管する。
【００２８】
また、計量装置１０は、前述の受付情報を魚市場情報管理サーバ２０に送信する（ステップＳ１０４）。なお、このステップＳ１０３、Ｓ１０４の処理は、その実行順序が逆になってもよい。
【００２９】
魚市場情報管理サーバ２０は、所定の期間内に受信した１以上の受付情報を用いて、競り対象の漁獲物の一覧が示されたリストを含む競り情報を作成する（ステップＳ１０５）。
次に、魚市場情報管理サーバ２０は、その作成した競り情報の印刷指示を印刷装置４０に送信する（ステップＳ１０６）。
印刷装置４０は、その競り情報の印刷指示を受信すると、この競り情報が示された競り伝票を印刷する（ステップＳ１０７）。魚市場の職員は、その印刷された競り情報の内容に誤りがないか確認する。競り情報の内容に誤りがあれば、魚市場の職員は、魚市場情報管理サーバ２０を操作して、正しい情報を入力する。
【００３０】
競り情報の内容に誤りがなければ、魚市場情報管理サーバ２０は、その競り情報を表示装置５０に送信して、この競り情報の表示を指示する（ステップＳ１０８）。
表示装置５０は、その表示指示を受信すると、その受信した競り情報に基づいて競り対象の漁獲物の一覧を表示する（ステップＳ１０９）。
【００３１】
その後、魚市場情報管理サーバ２０は、買受人端末３０から競り情報の取得を要求されると（ステップＳ１１０）、その取得要求元の買受人端末３０に競り情報を送信する（ステップＳ１１１）。
買受人端末３０は、その競り情報を受信すると、その受信した競り情報に含まれる競り一覧情報を表示する（ステップＳ１１２）。なお、この競り一覧情報の表示画面では、まだ入札額を入力することができない。
【００３２】
ここで、買受人は、買受人端末３０を用いて、自身のユーザＩＤ及びパスワードを入力し、魚市場情報管理サーバ２０に送信する（ステップＳ１１３）。
魚市場情報管理サーバ２０は、買受人端末３０から受信したユーザＩＤとパスワードとが、互いに対応付けて自身に格納されているか否かを判断する（ステップＳ１１４）。
その受信したユーザＩＤとパスワードとが互いに対応付けられて魚市場情報管理サーバ２０に格納されていないと判断された場合（ステップＳ１１４／Ｎｏ）、魚市場情報管理サーバ２０は、認証失敗と判断し、その処理を終了する。
一方、ユーザＩＤとパスワードとが互いに対応付けられて格納されていると判断された場合（ステップＳ１１４／Ｙｅｓ）、魚市場情報管理サーバ２０は、認証成功と判断し、入札額が入力可能な競り一覧情報の画面情報を、該当する買受人端末３０へ送信する（ステップＳ１１５）。
図４は、その競り一覧情報の一例を示す図である。例えば、この競り一覧情報には、競り対象の漁獲物と、その漁獲物を水揚げした船名と、その荷主と、その漁獲物の重量と、その入札額の入力欄とが示されている。
【００３３】
買受人は、買受人端末３０を用いて、その画面上の入力欄に入札額を入力して、その入札希望額を示す情報を魚市場情報管理サーバ２０に送信する（ステップＳ１１６）。
魚市場情報管理サーバ２０は、所定の期間内に１以上の買受人端末３０から送信された入札額のうち、最も高額なものを落札額として決定する（ステップＳ１１７）。
【００３４】
次に、魚市場情報管理サーバ２０は、競り一覧情報上の競り対象の漁獲物の落札結果（落札額または入札者なし）を表示装置５０に送信し、その落札結果の表示指示を行う（ステップＳ１１８）。
表示装置５０は、その表示指示を受信すると、その指示に応じて落札結果を表示する（ステップＳ１１９）。
【００３５】
次に、魚市場情報管理サーバ２０は、その落札結果の情報を印刷装置４０に送信して、その落札結果の印刷を指示する（ステップＳ１２０）。
印刷装置４０は、その印刷指示を受信すると、その落札結果を印刷する（ステップＳ１２１）。
【００３６】
その後、魚市場情報管理サーバ２０は、買受人端末３０から落札結果の情報の取得を要求されると（ステップＳ１２２）、その取得要求元の買受人端末３０に落札結果の情報を送信する（ステップＳ１２３）。
買受人端末３０は、その落札結果の情報を受信すると、その落札結果を表示する。
【００３７】
その後、魚市場情報管理サーバ２０は、その漁獲物の落札額、及び予め登録されている魚市場への手数料等の各料金等に基づいて精算処理を行い、荷主ごとに仕切り書を示す情報を作成するとともに、買受人ごとに売上票を示す情報を作成する（ステップＳ１２４）。
このとき、魚市場情報管理サーバ２０は、同一荷主が水揚げし、落札された１以上の漁獲物の情報を１つにまとめて仕切り書を示す情報を作成する。また、魚市場情報管理サーバ２０は、同一買受人が落札した１以上の漁獲物の情報を１つにまとめて売上票を示す情報を作成する。
【００３８】
次に、魚市場情報管理サーバ２０は、その仕切り書及び売上票の印刷指示を印刷装置４０に送信する（ステップＳ１２５）。
印刷装置４０は、その印刷指示を受信すると、それら仕切り書及び売上票を印刷する（ステップＳ１２６）。
魚市場の職員は、この印刷された売上票をその落札代金等の請求書として買受人へ渡す。また、荷主は計量時に発行された受付伝票を魚市場の職員に提示すると、魚市場の職員は、その発行された仕切り書のうちその荷主に該当するものを、その受付伝票を提示した荷主に渡す。その後、荷主は、その受け取った仕切り書を魚市場事務所の精算窓口や金融機関に提示すると、魚市場事務所の精算窓口や金融機関側は、その仕切り書の内容に基づいて、落札額から各種手数料等を減じた額をその荷主に対して支払う。
【００３９】
次に、魚市場情報管理サーバ２０は、前述の落札結果の情報をＨＴＭＬ（ＨｙｐｅｒＴｅｘｔ  Ｍａｒｋｕｐ  Ｌａｎｇｕａｇｅ）等に変換し、ＵＲＬ（Ｕｎｉｆｏｒｍ  Ｒｅｓｏｕｒｃｅ  Ｌｏｃａｔｏｒ）を設定してＷｅｂ上に公開する（ステップＳ１２７）。
このことにより、市場の関係機関や第三者が、インターネット接続可能な端末を用いて、魚市場における競りの落札結果を容易に閲覧することが可能となる。
【００４０】
以上説明したように、魚市場情報管理サーバ２０は、漁獲物の重量といった計量装置１０から受信した受付情報に基づいて、競り対象の漁獲物のリストを作成し、魚市場内の買受人が操作する買受人端末３０に送信する。さらに、魚市場情報管理サーバ２０は、１以上の買受人端末３０から受信した入札額の情報から落札額を決定し、その落札結果を買受人が操作する買受人端末３０に送信するとともにＷｅｂ上に公開するので、荷主が漁獲物を搬入してから競り終了までの魚市場内の各作業時間を短縮、及びその作業内容の簡易化を容易に実現することが可能となる。この結果、魚市場側は、漁獲物の鮮度の維持及び作業のために確保する人員の削減が可能となる。
【００４１】
また、魚市場内において、計量装置１０と、魚市場情報管理サーバ２０と、買受人端末３０との間はネットワークで接続されており、データ伝送を迅速に行うことができるので、漁獲物の計量担当者が、その計量結果を競り担当者へわざわざ届けるといった作業魚市場内の移動を省略し、作業時間の短縮及び作業人員の削減を実現することが可能となる。
【００４２】
また、以上説明したように、計量装置１０は漁獲物を計量し、その重量の値を魚市場情報管理サーバ２０に送信するので、計量担当者による計量の誤り及び不正を回避し、漁獲物の正確な計量結果を競りの際に公開することが可能となる。
【００４３】
さらに、魚市場情報管理システムは、前述した受付伝票、競り伝票、仕切り書、及び売上票といった競りに係る各伝票の情報を自動的に作成し、印刷するので、各伝票を作成する作業時間を大幅に短縮し、その手間を軽減することが可能となる。
【００４４】
また、表示装置５０は、競り対象の漁獲物の一覧及びその競りの落札結果を魚市場内で画面表示するので、荷主を含む魚市場の来場者は、その表示された各種情報を容易に確認することが可能となる。
【００４５】
（漁獲物の計量処理）
漁獲物は、その種類によって含有される水分量に差があり、競りを行う前に単純に計量するだけであると、その漁獲物を正確に計量したとは言えない可能性がある。
本実施の形態では、計量装置１０は、水揚げされた各漁獲物に含まれる水分の重量を考慮して、その漁獲物を計量する。
図５は、計量装置１０による漁獲物の計量処理の流れを示すフローチャートである。以下、この図を用いて、この漁獲物の計量処理について詳細に説明する。
【００４６】
荷主が、水揚げした漁獲物を魚市場内の計量場所に搬入すると、魚市場の職員は、その水揚げされた漁獲物の荷主、漁船、漁業種類、及び魚種等の受付情報を入力する（ステップＳ２０１）。
【００４７】
続けて、魚市場の職員は、その漁獲物を計量装置１０の計量台に載置すると、計量装置１０は、その漁獲物を計量する（ステップＳ２０２）。
【００４８】
ここで、計量装置１０は、計量された漁獲物の重量と、その入力された魚種とに基づいて、その計量された漁獲物の水分に該当する重量（以下、水分重量という）を算出する（ステップＳ２０３）。
なお、このステップＳ２０１、Ｓ２０２の処理の実行順序は、どちらが先行してもよい。また、ステップＳ２０３の処理は、その魚種ごとに、荷主または漁業種類が変わるまで繰り返される。
【００４９】
ここで、この水分重量の算出方法について具体的に説明する。
図６は、各漁獲物全体の重量と、その各漁獲物の水分率との関係の一例を示す図である。この水分率は、漁獲物全体に重量に対する漁獲物に含まれる水分重量の割合を示す値である。この図の例では、各漁獲物は、その全体重量が大きな値であるほどその水分率の増加率も大きくなっている。
計量装置１０は、この図に示すような漁獲物の水分率を示す情報を予め格納している。計量装置１０は、この水分率を示す情報を参照して、前述の入力された魚種及び重量に該当する水分率を検出し、その検出した水分率に、前述の漁獲物の重量を乗じて、計量した漁獲物全体の水分重量を算出する。
【００５０】
次に、計量装置１０は、その算出した漁獲物全体の水分重量及び容器等の風袋を漁獲物全体の重量から減じて、競りの際の表示重量を算出する（ステップＳ２０４）。その後、計量装置１０は、前述のような受付伝票の発行処理等を行う。
【００５１】
このように、計量装置１０において、魚種ごとに漁獲物全体の重量から減じる水分重量を定めているので、その魚種ごとの適切な競りの際の重量を容易かつ迅速に算出することができ、競り開始までに要する時間を短縮することが可能となる。
【００５２】
＜実施形態のまとめ＞
なお、本実施の形態では、魚市場内において、魚市場情報管理サーバ２０と買受人端末３０との間を無線ＬＡＮ等のネットワークで接続し、競りを行っていたが、他の例として、買受人が魚市場外からでも入札できるように、買受人端末３０をインターネット１００を介して魚市場情報管理サーバ２０と接続するように構成してもよい。このように構成することにより、買受人は例えば自宅や勤務先等の魚市場の外にいながらにして競りに参加することが可能となる。
【００５３】
また、本実施の形態において、計量装置１０は水揚げされた漁獲物の重量を計量していたが、これに加えて、その漁獲物の個数または小分け数を入力するようにしてもよい。
【００５４】
上記の計量装置１０、魚市場情報管理サーバ２０、または買受人端末３０は、主にＣＰＵとメモリにロードされたプログラムによって実現される。ただし、それ以外の任意のハードウェアおよびソフトウェアの組み合わせによってこの装置またはサーバを構成することも可能であり、その設計自由度の高さは当業者には容易に理解されるところである。
また、上記の計量装置１０、魚市場情報管理サーバ２０、または買受人端末３０をソフトウェアモジュール群として構成する場合、このプログラムは、光記録媒体、磁気記録媒体、光磁気記録媒体、または半導体等の記録媒体に記録され、上記の記録媒体からロードされるようにしてもよいし、所定のネットワークを介して接続されている外部機器からロードされるようにしてもよい。
【００５５】
なお、上記の実施例は本発明の好適な実施の一例であり、本発明の実施例は、これに限定されるものではなく、本発明の要旨を逸脱しない範囲において種々変形して実施することが可能となる。
【図面の簡単な説明】
【００５６】
【図１】本発明の実施の形態における魚市場情報管理システムの構成を示す図である。
【図２】魚市場情報管理システムによる漁獲物の計量から競りの精算までの処理の流れを示すシーケンスチャートである。
【図３】魚市場情報管理システムによる漁獲物の計量から競りの精算までの処理の流れを示すシーケンスチャートである。
【図４】競り一覧情報の一例を示す図である。
【図５】計量装置による漁獲物の計量処理の流れを示すフローチャートである。
【図６】各漁獲物全体の重量と、その各漁獲物の水分率との関係の一例を示す図である。
【符号の説明】
【００５７】
１０    計量装置
２０    魚市場情報管理サーバ
３０    買受人端末
４０    印刷装置
５０    表示装置
１００    インターネット
【図１】
2005352955.tif 000003
【図２】
2005352955.tif 000004
【図３】
2005352955.tif 000005
【図４】
2005352955.tif 000006
【図５】
2005352955.tif 000007
【図６】
2005352955.tif 000008